(57)【要約】【課題】被呼側電話番号を知らなくても、発呼者は被呼者の識別情報を指定するだけで、発呼者の端末と被呼者の端末との間に通話路確立を行うことができるＩＰ電話システムとそのＩＰ電話端末を提供する。【解決手段】ＩＰ電話システムの各加入者個人にその加入者個人を一意に識別するための識別情報が割当られており、ＩＰ電話システムのリソース管理サーバ（Ｂ）には、その識別情報と識別情報が割当られた当該加入者個人のＩＰ電話システム用端末（Ａ）の端末番号情報との対応関係を各加入者個人について示す変換テーブルが用意されており、各加入者個人のＩＰ電話システム用端末から他の加入者個人の識別情報を指定する発呼により、変換テーブルを参照して、発呼をした加入者個人のＩＰ電話システム用端末から他の加入者個人のＩＰ電話システム用端末への通信路が形成されるように構成されている。【選択図】　　　図１
2004032265.tif 000002
【特許請求の範囲】
【請求項１】
ＩＰ電話システムの各加入者個人に該加入者個人を一意に識別するための識別情報が割当られており、
該ＩＰ電話システムのリソース管理サーバには、該識別情報と該識別情報が割当られた当該加入者個人の該ＩＰ電話システム用端末の端末番号情報との対応関係を前記各加入者個人について示す変換テーブルが用意されており、
前記各加入者個人からの当該加入者個人の該ＩＰ電話システム用端末による他の加入者個人の前記識別情報を指定する発呼により、前記変換テーブルを参照して、該発呼をした当該加入者個人の該ＩＰ電話システム用端末から前記他の加入者個人の該ＩＰ電話システム用端末への通信路が形成されるように構成された
ＩＰ電話システム。
【請求項２】
前記変換テーブルにおける前記識別情報と該識別情報が割当られた当該加入者個人の該ＩＰ電話システム用端末の端末番号情報との対応関係は、所望の該ＩＰ電話システム用端末の端末番号情報を該識別情報と所定の認証信号とともに該ＩＰ電話システム用端末から該ＩＰ電話システムに伝送されたときに設定変更するように構成されたことを特徴とする請求項１に記載のＩＰ電話システム。
【請求項３】
前記設定変更は、当該設定変更から所定の時間後に復旧するように構成されたことを特徴とする請求項２に記載のＩＰ電話システム。
【請求項４】
ＩＰ電話システムでは、各加入者個人に該加入者個人を一意に識別するための識別情報が割当られており、該ＩＰ電話システムのリソース管理サーバには、該識別情報と該識別情報が割当られた当該加入者個人の該ＩＰ電話システム用端末の端末番号情報との対応関係を前記各加入者個人について示す変換テーブルが用意されている場合に、
前記ＩＰ電話システム用端末として用いるために前記リソース管理サーバに接続されるＩＰ電話端末であって、
前記リソース管理サーバとの間のインターネットによる信号の相互伝送をするためのＬＡＮインタフェースと、
該ＬＡＮインターフェースを介して前記リソース管理サーバにシステム情報を問い合わせ該システム情報を取得するために該ＬＡＮインターフェースに接続された宛先解決部と、
少なくとも一つの制御キーを有する操作器と、
複数の表示スペースを有し該制御器の制御により該複数の表示スペースの一つを選択することができる表示部と、
該表示部及び前記操作器からの制御入力を受け入れ該表示部に必要な情報を出力するデバイス制御及び入力部と、
前記ＬＡＮインターフェースを介して前記表示部及び前記操作器からの入力を前記リソース管理サーバに伝送し、前記表示部に必要な情報を前記リソース管理サーバから受け取るために前記ＬＡＮインターフェースに接続された呼制御実行部とを備え、
前記操作器の操作により指定された前記問い合わせ情報が前記表示部の前記複数の表示スペースに分配表示され、該分配表示された前記複数の表示スペースのいずれかを前記操作器の操作により選択した該選択情報が前記リソース管理サーバに伝達されるように構成されたＩＰ電話端末。
【請求項５】
ＩＰ電話システムでは、各加入者個人に該加入者個人を一意に識別するための識別情報が割当られており、該ＩＰ電話システムのリソース管理サーバには、該識別情報と該識別情報が割当られた当該加入者個人の該ＩＰ電話システム用端末の端末番号情報との対応関係を前記各加入者個人について示す変換テーブルが用意されている場合に、
前記ＩＰ電話システム用端末として用いるために前記リソース管理サーバに接続されるＩＰ電話端末であって、
前記リソース管理サーバとの間のインターネットによる信号の相互伝送をするためのＬＡＮインタフェースと、
該ＬＡＮインターフェースを介して前記リソース管理サーバにシステム情報を問い合わせ該システム情報を取得するために該ＬＡＮインターフェースに接続されたシステム情報の問い合わせ及び取得部と、
少なくとも一つの制御キーを有する操作器と、
複数の表示スペースを有し該制御器の制御により該複数の表示スペースの一つを選択することができる表示部と、
該表示部及び前記操作器からの制御入力を受け入れ該表示部に必要な情報を出力するデバイス制御及び入力部と、
前記ＬＡＮインターフェースを介して前記表示部及び前記操作器からの入力を前記リソース管理サーバに伝送し、前記表示部に必要な情報を前記リソース管理サーバから受け取るために前記ＬＡＮインターフェースに接続された呼制御実行部と、
前記システム情報の問い合わせ及び取得部と、前記デバイス制御及び入力部との相互間、及び、前記呼制御実行部と前記デバイス制御及び入力部との相互間で前記情報の伝送をするために配置された端末制御部とを備え、
前記操作器の操作により指定された前記問い合わせ情報が前記表示部の前記複数の表示スペースに分配表示され、該分配表示された前記複数の表示スペースのいずれかを前記操作器の操作により選択した該選択情報が前記リソース管理サーバに伝達されるように構成されたＩＰ電話端末。
【請求項６】
送受話器を有し前記デバイス制御及び入力部に接続された送受話回路と、
該送受話回路と前記リソース管理サーバとの間の音声情報の相互伝送を制御するために前記デバイス制御及び入力部と前記ＬＡＮインタフェースとに接続された音声制御部を、さらに、備えたことを特徴とする請求項１または２に記載のＩＰ電話端末。
【発明の詳細な説明】
【０００１】
【発明の属する技術分野】
本発明は、ＩＰ電話システムとその電話端末に関するものであり、特に、ＩＰ電話システムにおける加入者個人のＩＤ番号を管理する機能を備えたＩＰ電話システムとその電話端末に関するものである。
【０００２】
【従来の技術】
従来のネットワーク通信系では、加入者とネットワーク間にそれぞれ配置接続される加入者ライン（ワイヤ線又は伝送チャネル）に、個別に、加入者番号（電話番号）が割り当てられ、各加入者ラインには当該加入者用の電話機の端末が接続されている。
一方、ネットワーク側の交換機器（交換機，ボタン電話装置の主装置）には、発呼側となる加入者（発呼者）の端末（発呼側端末）と被呼側となる加入者（被呼者）の端末（被呼側端末）とを相互接続する「交換接続機能」として、次の機能が設けられている。
（１）各加入者ラインを監視し、その加入者ラインに接続された端末である任意の電話機の受話器上げ（発呼操作）を検出する発呼検出機能。
（２）発呼操作をした電話機（発呼側端末）から送られて来るべき「被呼側端末に接続された被呼側加入者ラインの電話番号（被呼側電話番号）」を受信する準備完了後、その被呼側電話番号を要求する機能。
（３）発呼側端末から送られた被呼側電話番号を受信し記憶する電話番号受信・記憶機能。
（４）受信した被呼側電話番号から接続先の収容位置を知る番号翻訳・交換機能。
（５）被呼側端末の状態を検査する話中試験機能。
（６）被呼側端末の応答を促すための呼出し信号を送る呼出し信号送出機能。
（７）被呼側端末の応答を監視し応答を知る応答検出機能。
（８）発呼側端末，被呼側端末間を接続する通話開始制御機能。
（９）通話状態を監視し、切断を検出後復旧する切断・復旧機能。
また、被呼側端末が発呼側交換機とは別の被呼側交換機に収容されている場合には、発呼側交換機と被呼側交換機との間の中継を行うため、次の機能がさらに必要になる。
（１０）　被呼側電話番号から中継線を知り、空きを選択する番号翻訳，方路識別，出線選択機能。
（１１）　中継先の交換機に電話番号を送る番号転送機能。
【０００３】
ここで、例えば、ある加入者（発呼者）が、特定の加入者（被呼者）を呼び出す「発信」を行うときには、次のような交換接続処理が行われる。
▲１▼　発呼者は、当該発呼者用の端末機器（電話機）から、「送話器上げ（オフ・フック）」等の「発呼操作」をし、その電話機が接続されている発呼側加入者ラインを介して、被呼側の加入者ラインに割り当てられている電話番号をネットワーク側の交換制御機器（交換機，ボタン電話装置の主装置、等）に伝送する（発信操作）。
▲２▼　ネットワーク側の交換制御機器は、発呼者側加入者ラインを介して伝送されて来た被呼側電話番号から接続先の被呼側の加入者ラインの収容位置を定める番号変換をする。
▲３▼　ネットワーク側の交換制御機器は、さらに、被呼者の加入者ラインの状態が「話中」か否かをテストし、「話中」でなければ、その被呼者加入者ラインに「呼出し信号」を送出する。
▲４▼　その呼出し信号に応答して被呼側端末である電話機の送受話器が取り上げられたときに、発呼者端末と被呼側端末とは、交換機を含むネットワークにより相互接続されて、「相互通話」を開始することができる。
▲５▼　この「相互通話」は、発呼端末と被呼側端末とが送受話器を置いた状態（オン・フック）のとき、終話となる。
▲６▼　なお、発呼側端末を収容している発呼側交換機とは別の交換機（被呼側交換機）に被呼側端末が収容されている場合には、前記の▲１▼の動作に、発呼側交換機から被呼側交換機へ中継線を介して被呼側電話番号を伝送する処理が含まれる。
以上が従来のネットワーク系における発呼側端末と被呼側端末との間での通話路確立動作の概要である。
【０００４】
【発明が解決しようとする課題】
このような従来のネットワーク系における通話路確立動作を完結させるためには、発呼者は被呼側加入者線に割り当てられている被呼側電話番号を知っていることが条件であり、この被呼側電話番号を知らない場合には発呼操作を行うことができない。
【０００５】
本発明の目的は、従来技術のこのような欠点を解消して、被呼側電話番号を知らなくても、発呼者は被呼者の識別情報を指定するだけで、発呼者の端末と被呼者の端末との間に通話路確立を行うことができるＩＰ電話システムおよびそのＩＰ電話端末を提供することにある。
【０００６】
【課題を解決するための手段】
この目的を達成するために、本発明によるＩＰ電話システムは、ＩＰ電話システムの各加入者個人に該加入者個人を一意に識別するための識別情報が割当られており、
該ＩＰ電話システムのリソース管理サーバには、該識別情報と該識別情報が割当られた当該加入者個人の該ＩＰ電話システム用端末の端末番号情報との対応関係を前記各加入者個人について示す変換テーブルが用意されており、
前記各加入者個人からの当該加入者個人の該ＩＰ電話システム用端末による他の加入者個人の前記識別情報を指定する発呼により、前記変換テーブルを参照して、該発呼をした当該加入者個人の該ＩＰ電話システム用端末から前記他の加入者個人の該ＩＰ電話システム用端末への通信路が形成されるように構成されている。
【０００７】
前記変換テーブルにおける前記識別情報と該識別情報が割当られた当該加入者個人の該ＩＰ電話システム用端末の端末番号情報との対応関係は、所望の該ＩＰ電話システム用端末の端末番号情報を該識別情報と所定の認証信号とともに該ＩＰ電話システム用端末から該ＩＰ電話システムに伝送されたときに設定変更するように構成することができる。
【０００８】
また、前記設定変更は、当該設定変更から所定の時間後に復旧するように構成することができる。
【０００９】
本発明のＩＰ電話システムにおいては、以下に示す２種類のノードをＬＡＮネットワークに接続し、各ノード間の情報伝達がパケット単位で行われるように構成する。
（１）インターネット・プロトコル（ＩＰ）に準拠したＩＰ電話端末。
（２）ＩＰ電話端末情報と加入者個人を一意に識別する識別情報とのマッピング情報を保持し、加入者個人の識別情報からマッピングされたＩＰテレホン端末情報を提供する機能を有するリソース管理サーバ（Ｒｅｓｏｒｃｅ　Ｍａｎａｇｅｍｅｎｔ　Ｓｅｒｖｅｒ　）。
【００１０】
リソース管理サーバは、各加入者個人の識別情報にデフォルト（ｄｅｆａｕｌｔ　）ＩＰ電話端末情報（加入者個人からの操作ではなく、サーバ側から一方的に割り当てたＩＰ電話端末情報）を保持する。
リソース管理サーバは、加入者個人からの移動先ＩＰ電話端末情報（加入者個人が自動転送により着信させたいＩＰ電話端末のＩＰ電話端末情報）の登録要求により、マッピング情報を変更する。また、登録時に指定された時間でタイマ設定を行い、タイムアウト時に移動先ＩＰ電話端末情報のマッピング情報を削除する。
【００１１】
リソース管理サーバは、加入者個人からの着信拒否設定（加入者個人が本人宛の着信を拒否する設定）の要求により、マッピング情報を変更する。また、着信拒否設定時に指定された時間でタイマ設定を行い、タイムアウト時に着信拒否設定を自動的に解除する。
【００１２】
▲１▼　ＩＰ電話端末からの発信操作は着呼者個人の識別情報が指定されて行われる。リソース管理サーバにより対応するＩＰ電話端末情報が提供され、着呼者個人の利用している端末を呼び出すことが出来る。
▲２▼　リソース管理サーバが保持しているマッピング情報は、ＩＰネットワーク上の端末（ＩＰテレホン端末を含む）から設定および削除が可能である。そのため、加入者個人は本人宛ての電話の着呼先ＩＰ電話端末を変更することが可能である。
▲３▼　リソース管理サーバが保持しているマッピング情報は、情報登録時に時間を指定することにより、自動的に削除を行うことが可能である。
▲４▼　リソース管理サーバは、各加入者の識別情報に一方的に割り当てたＩＰ電話端末情報を保持しており、次のような動作が可能である。
ｉ）　移動管理を必要としない加入者個人は従来通りの電話システムとしての運用が可能である。
ｉｉ）　移動先設定を忘れた場合や移動先の設定を行ったＩＰ電話端末での設定時間が過ぎた場合、デフォルトで割り当てたＩＰ電話端末が呼び出される。
ｉｉｉ）　なお、着信拒否設定を行うことにより、すべてのＩＰ電話端末（デフォルトの端末を含む）での呼出しを止めることが可能である。
【００１３】
本発明によるＩＰ電話システム用ＩＰ電話端末は、ＩＰ電話システムでは、各加入者個人に該加入者個人を一意に識別するための識別情報が割当られており、該ＩＰ電話システムのリソース管理サーバには、該識別情報と該識別情報が割当られた当該加入者個人の該ＩＰ電話システム用端末の端末番号情報との対応関係を前記各加入者個人について示す変換テーブルが用意されている場合に、
前記ＩＰ電話システム用端末として用いるために前記リソース管理サーバに接続されるＩＰ電話端末であって、
前記リソース管理サーバとの間のインターネットによる信号の相互伝送をするためのＬＡＮインタフェースと、
該ＬＡＮインターフェースを介して前記リソース管理サーバにシステム情報を問い合わせ該システム情報を取得するために該ＬＡＮインターフェースに接続された宛先解決部と、
少なくとも一つの制御キーを有する操作器と、
複数の表示スペースを有し該制御器の制御により該複数の表示スペースの一つを選択することができる表示部と、
該表示部及び前記操作器からの制御入力を受け入れ該表示部に必要な情報を出力するデバイス制御及び入力部と、
前記ＬＡＮインターフェースを介して前記表示部及び前記操作器からの入力を前記リソース管理サーバに伝送し、前記表示部に必要な情報を前記リソース管理サーバから受け取るために前記ＬＡＮインターフェースに接続された呼制御実行部とを備え、
前記操作器の操作により指定された前記問い合わせ情報が前記表示部の前記複数の表示スペースに分配表示され、該分配表示された前記複数の表示スペースのいずれかを前記操作器の操作により選択した該選択情報が前記リソース管理サーバに伝達されるように構成されている。
【００１４】
また、本発明によるＩＰ電話システム用ＩＰ電話端末は、ＩＰ電話システムでは、各加入者個人に該加入者個人を一意に識別するための識別情報が割当られており、該ＩＰ電話システムのリソース管理サーバには、該識別情報と該識別情報が割当られた当該加入者個人の該ＩＰ電話システム用端末の端末番号情報との対応関係を前記各加入者個人について示す変換テーブルが用意されている場合に、
前記ＩＰ電話システム用端末として用いるために前記リソース管理サーバに接続されるＩＰ電話端末であって、
前記リソース管理サーバとの間のインターネットによる信号の相互伝送をするためのＬＡＮインタフェースと、
該ＬＡＮインターフェースを介して前記リソース管理サーバにシステム情報を問い合わせ該システム情報を取得するために該ＬＡＮインターフェースに接続されたシステム情報の問い合わせ及び取得部と、
少なくとも一つの制御キーを有する操作器と、
複数の表示スペースを有し該制御器の制御により該複数の表示スペースの一つを選択することができる表示部と、
該表示部及び前記操作器からの制御入力を受け入れ該表示部に必要な情報を出力するデバイス制御及び入力部と、
前記ＬＡＮインターフェースを介して前記表示部及び前記操作器からの入力を前記リソース管理サーバに伝送し、前記表示部に必要な情報を前記リソース管理サーバから受け取るために前記ＬＡＮインターフェースに接続された呼制御実行部と、
前記システム情報の問い合わせ及び取得部と、前記デバイス制御及び入力部との相互間、及び、前記呼制御実行部と前記デバイス制御及び入力部との相互間で前記情報の伝送をするために配置された端末制御部とを備え、
前記操作器の操作により指定された前記問い合わせ情報が前記表示部の前記複数の表示スペースに分配表示され、該分配表示された前記複数の表示スペースのいずれかを前記操作器の操作により選択した該選択情報が前記リソース管理サーバに伝達されるように構成することができる。
【００１５】
これらのＩＰ電話端末は、送受話器を有し前記デバイス制御及び入力部に接続された送受話回路と、
該送受話回路と前記リソース管理サーバとの間の音声情報の相互伝送を制御するために前記デバイス制御及び入力部と前記ＬＡＮインタフェースとに接続された音声制御部を、さらに、備えた構成とすることができる。
【００１６】
【発明の実施の形態】
図１に、本発明を実現するＩＰ電話システム構成例を示す。代表的なＬＡＮ（Ｌｏｃａｌ　Ａｒｅａ　Ｎｅｔｗｏｒｋ）であるイーサネット（Ｅｔｈｅｒｎｅｔ）（Ｃ）に、端末側（Ａ）として４つのＩＰテレホン（１），（２），（３），（４）が、ネットワーク側としてリソース管理サーバ（Ｂ）が、接続されている。
【００１７】
図２に、ＩＰ電話システムの構成要素におけるソフトウェア機能ブロックを示す。
【００１８】
（Ａ）ＩＰ電話端末：
ＩＰ電話端末（Ａ）では、ＬＡＮインタフェース（Ａ１）により、ＬＡＮ端末〔リソース管理サーバ（Ｂ）および他のＩＰ電話端末（Ａ）〕との情報交換を経路▲１▼を介して行う。当該端末がユーザ登録を行うために実行する機能は呼制御実行部（Ａ２）で実現する。呼制御メッセージをどの端末へ転送するかの決定を宛先解決部（Ａ３）で行う。デバイス制御および入力部（Ａ４）は、キーパッド情報，ＬＣＤ（Ｌｉｑｕｉｄ　Ｃｒｙｓｔａｌ　Ｄｉｓｐｌａｙ）情報など通常の電話装置に実装されるハードウェア制御を行う。
【００１９】
（Ｂ）リソース管理サーバ：
リソース管理サーバ（Ｂ）では、ＬＡＮインタフェース（Ｂ１）により、ＩＰ電話端末（Ａ）との情報交換を経路▲１▼を介して行う。加入者および端末情報管理部（Ｂ２）は、ＩＰ電話端末（Ａ）からの情報問い合わせに対して、その加入者および端末情報データベース（Ｂ３）の内容を更新または公開することを行う。
【００２０】
図３に、本発明のＩＰ電話システムにおける発呼シーケンス例を示している。ＩＰ電話端末（Ａ）は、着呼者個人の識別情報を指定して発信操作を行うことにより、「宛先解決要求」（着呼者個人の識別情報にマッピングされているＩＰ電話端末情報を求めるために送信するメッセージ）をリソース管理サーバ（Ｂ）へ通知する。
リソース管理サーバ（Ｂ）は、指定された加入者個人の識別情報にマッピングされているＩＰ電話端末情報Ａ’を回答として、ＩＰ電話端末（Ａ）へ通知する。
ＩＰ電話端末（Ａ）は、回答として受け取ったＩＰ電話端末情報Ａ’宛てに「発信要求」（通話セッションの確立を要求するために送信するメッセージ）を通知する。
「発信要求」を受け取ったＩＰ電話端末（Ａ’）は、「発信要求の応答」（メッセージを受け取った確認として送信するメッセージ）を通知する。
【００２１】
図４に、本発明のＩＰ電話システムにおける移動先ＩＰ電話端末情報の登録シーケンス例を示している。
ＩＰ電話端末（Ａ”）は、登録操作を行うために、加入者個人の識別情報と移動先ＩＰ電話端末情報を指定した「ＩＰ電話端末情報登録要求」（指定した加入者個人の識別情報に指定したＩＰ電話端末情報をマッピングすることを要求するために送信するメッセージ）をリソース管理サーバ（Ｂ）へ通知する。
リソース管理サーバ（Ｂ）は、「ＩＰ電話端末情報登録要求」で指定された加入者個人の識別情報とＩＰ電話端末情報とのマッピングを行い、「登録要求応答」（ＩＰ電話端末情報登録要求に対しての応答を送信するメッセージ）をＩＰ電話端末（Ａ”）へ通知する。
【００２２】
図５に、本発明のＩＰ電話システムにおける移動先ＩＰ電話端末情報が登録されている加入者個人宛ての発呼シーケンス例を示す。
発呼ＩＰ電話端末（Ａ）は、発信操作を行うために、着呼者個人の識別情報（ここでは、ＩＰ電話端末（Ａ”）の登録を行った加入者個人の識別情報）を指定した「宛先解決要求」をリソース管理サーバ（Ｂ）へ通知する。
リソース管理サーバ（Ｂ）は、指定された加入者個人の識別情報にマッピングされているＩＰ電話端末情報Ａ”を回答として、発呼ＩＰ電話端末（Ａ）へ通知する。
発呼ＩＰ電話端末（Ａ）は、回答として受け取ったＩＰ電話端末（Ａ”）宛てに「発信要求」を通知する。
「発信要求」を受け取ったＩＰ電話端末（Ａ”）は、「発信要求の応答」をＩＰ電話端末（Ａ）に通知する。
【００２３】
図６に、本発明のＩＰ電話システムにおける着信拒否設定シーケンス例を示す。
ＩＰ電話端末（Ａ”）は、着信拒否設定操作を行うために、加入者個人の識別情報を指定した「着信拒否設定要求」（指定した加入者個人宛の着信を拒否する設定を要求するために発信するメッセージ）をリソース管理サーバ（Ｂ）へ通知する。
リソース管理サーバ（Ｂ）は、通知された「着信拒否設定要求」で指定された加入者個人の識別情報のマッピング情報として着信拒否設定を行い、「着信拒否設定要求応答」（着信拒否設定要求に対しての応答を送信するメッセージ）をＩＰ電話端末（Ａ”）へ通知する。
【００２４】
図７に、本発明のＩＰ電話システムにおいて、着信拒否設定されている加入者個人の識別情報宛ての発呼シーケンス例を示す。
ＩＰ電話端末（Ａ）は、発信操作を行うために、着呼者個人の識別情報（ここでは、着信拒否設定を行った加入者個人の識別情報）を指定した「宛先解決要求」をリソース管理サーバ（Ｂ）へ通知する。
リソース管理サーバ（Ｂ）は、指定された加入者個人の識別情報が「着信拒否」に設定されていることを、回答としてＩＰ電話端末（Ａ）へ通知する。
ＩＰ電話端末（Ａ）は、着呼者個人が「着信拒否」に設定されていることを知り、発呼処理を中断する。
【００２５】
図８は、ＩＰ電話端末（Ａ）からの加入者登録シーケンス例を説明するフロー図である。
ＩＰ電話端末（Ａ）からユーザ登録したい加入者個人は、ユーザ登録を行う操作ボタンとして設けられている「ユーザ登録ボタン」へ入力後、その本人を識別する識別情報を入力する。「ユーザ登録ボタン」へ入力されたことにより呼制御実行部（Ａ２）は、識別情報及び自端末の情報を含んだユーザ登録要求メッセージをリソース管理サーバ（Ｂ）に送信する。
ユーザ登録要求メッセージを受け取ったリソース管理サーバ（Ｂ）は、加入者および端末情報管理部（Ｂ２）が受け取ったメッセージから、データベース（Ｂ３）に対して対応するユーザ情報にＩＰ端末情報をマッピングする。リソース管理サーバ（Ｂ）はマッピングを終了したらＩＰ電話端末（Ａ）に対し「受け付け」たことを通知する。
【００２６】
図９は、ＩＰ電話端末（Ａ）からの端末情報を参照し、登録加入者の所在を登録するシーケンスを説明するフロー図である。
ＩＰ電話端末（Ａ）からリソース管理サーバ（Ｂ）が保持しているデータベース（Ｂ３）を参照しながら当人の所在を登録したい加入者個人は、ＩＰ電話端末（Ａ）の参照ボタンへ入力する。参照ボタンへ入力されたことにより、呼制御実行部（Ａ２）は、「データベース参照メッセージ」をリソース管理サーバ（Ｂ）に送信する。
「データベース参照メッセージ」を受け付けたリソース管理サーバ（Ｂ）は、保持しているデータベース（Ｂ３）内の「通知データ」（ＩＰ電話端末情報、及びユーザのマッピング情報）をＩＰ電話端末（Ａ）に送信する。
マッピング情報を受け取ったＩＰ電話端末（Ａ）は、デバイス制御および入力部（Ａ４）によってＬＣＤ、またはモニタに同情報を表示する。当人の所在を登録したい加入者個人は、当人を識別する識別情報と画面の中から当人が使用したい端末を指定する。呼制御実行部（Ａ２）は、「識別情報、及び指定された端末情報」を「ユーザ登録変更メッセージ」としてリソース管理サーバ（Ｂ）に送信する。
「ユーザ登録変更メッセージ」を受け取ったリソース管理サーバ（Ｂ）は、受け取ったそのメッセージから、データベース（Ｂ３）内のレジスタにおける対応するユーザ情報にＩＰ電話端末情報をマッピングする。リソース管理サーバ（Ｂ）はマッピングが終了したら、ＩＰ電話端末（Ａ）に対し「受け付け」したことを通知する。
【００２７】
図１０にＩＰ電話端末における発信動作の流れを示すフローチャートを示す。
ＩＰ電話端末（Ａ）が、空き状態　（加入者からの操作および他のＩＰ電話端末からの着信待ち）　の時に、ＩＰ電話端末（Ａ）の加入者からの発信操作が行われると（Ｓ１）、宛先解決要求メッセージをリソース管理サーバ（Ｂ）に送信する（Ｓ２）。リソース管理サーバ（Ｂ）からの回答結果を確認するテスト（Ｓ３）の結果（ＩＰアドレス）を元に、ＩＰ電話端末情報宛てに発信メッセージを送信する（Ｓ４）。送信に成功すると（Ｓ５）、「呼出し中」状態（他のＩＰ電話端末の応答待ち）となる（Ｓ６）。テスト（Ｓ３）の結果が「該当者なし／着信拒否」であるときと、テスト（Ｓ５）が「メッセージ送信失敗」であったときには、「空き」となる。
【００２８】
図１１にリソース管理サーバ（Ｂ）における移動先ＩＰ電話端末情報登録および着信拒否設定動作の流れを示すフローチャートを示す。
リソース管理サーバ（Ｂ）が空き状態の時に、ＩＰ電話端末（Ａ）からのＩＰ電話端末情報の「登録要求」を受けると（Ｓ１１）、リソース管理サーバ（Ｂ）は、登録要求をした利用者が、リソース管理サーバ（Ｂ）が保持しているデータベース（Ｂ３）へのアクセス権限があるかどうかをチェックする（Ｓ１２）。アクセス権限のある加入者の場合（ＹＥＳ）には、登録要求をしたその加入者にＩＰ電話端末情報の登録をするかまたは、加入者として登録しているＩＰ電話端末の設定を着信拒否に登録する（Ｓ１３）。その登録の処理の結果（Ｓ１４）に従って、リソース管理サーバ（Ｂ）は登録結果を登録要求をした利用者に返信する（Ｓ１５，Ｓ１６）。
【００２９】
図１２にリソース管理サーバにおける移動先ＩＰ電話端末情報削除および着信拒否設定解除動作の流れを示すフローチャートを示す。
リソース管理サーバ（Ｂ）が空き状態の時に、ＩＰ電話端末からのＩＰ電話端末情報の「削除要求」を受けると（Ｓ２１）、リソース管理サーバ（Ｂ）は、削除要求をした利用者が、リソース管理サーバ（Ｂ）が保持しているデータベース（Ｂ２）へのアクセス権限があるかどうかをチェックする（Ｓ２２）。アクセス権限のある加入者の場合（ＹＥＳ）には、削除要求をした加入者に登録されているＩＰ電話端末情報または、加入者に登録しているＩＰ電話端末に設定されている着信拒否設定を削除または解除する（Ｓ２３）。その削除処理の結果が「削除成功」であるか又は「削除失敗」であるかに従って（Ｓ２４）、リソース管理サーバ（Ｂ）は処理結果を処理要求をした加入者に返信する（Ｓ２５，Ｓ２６）。
【００３０】
図１３にリソース管理サーバにおける宛先解決動作の流れを示すフローチャートを示す。
リソース管理サーバ（Ｂ）が空き状態の時に、ＩＰ電話端末（Ａ）からの「宛先解決要求」を受けると（Ｓ３１）、リソース管理サーバ（Ｂ）は、そこに保持しているデータベース（Ｂ）内のデータの中から、ＩＰ電話端末（Ａ）から指定された加入者情報を検索する（Ｓ３２）。その検索出力のテスト（Ｓ３３）の結果が「指定の利用者情報あり」であるときには、ＩＰ電話端末（Ａ）から指定された加入者情報があれば、加入者情報に登録（マッピング）されているＩＰ電話端末情報（ＩＰアドレス）の調査を行う（Ｓ３４）。その調査の結果（Ｓ３５）、加入者情報にＩＰ電話端末情報がマッピングされている「登録情報あり」のときには、そのＩＰ電話端末情報を「宛先解決要求」を行ったＩＰ電話端末（Ａ）に返信する（Ｓ３６）。もしも、加入者情報にＩＰ電話端末情報がマッピングされていない「マッピング情報なし」のときには、その加入者にデフォルトで設定されているＩＰ電話端末情報を「宛先解決要求」を行ったＩＰ電話端末に返信する（Ｓ３７）。
【００３１】
図１４にリソース管理サーバ（Ｂ）におけるタイムアウトによる移動先ＩＰ電話端末情報削除および着信拒否設定解除をする「タイムアウト通知」の動作の流れを示すフローチャートを示す。
リソース管理サーバ（Ｂ）が、空き状態において、内部から「タイムアウト通知」を受け付けると（Ｓ４１）、そのタイムアウトの要因を確認するステト（Ｓ４２）の結果によって次の処理を行う。ＩＰ電話端末情報の削除と、リソース管理サーバが保持しているデータベース内での指定登録時間経過の通知を受けた加入者には、マッピングされているＩＰ電話端末情報を削除する（Ｓ４３）。着信拒否設定解除と、リソース管理サーバが保持しているデータベース内での指定時間経過のタイムアウト通知を受けた加入者には、マッピングされているＩＰ電話端末の着信拒否設定を解除する（Ｓ４４）。
【００３２】
図１５は、ＩＰ電話端末（Ａ）の他の具体的実施例である。この場合の構成と動作について、説明する。
ＩＰ電話端末（Ａ）は、次の構成を有している。
ＬＡＮインターフェース（Ａ１１）は、リソース管理サーバ（Ｂ）との間のインターネットによる信号の相互伝送をする機能を有する。
システム情報の問合わせ及び取得部（Ａ１４）は、ＬＡＮインターフェース（Ａ１１）を介してリソース管理サーバ（Ｂ）にシステム情報や加入者情報などの情報を問合わせし、これを取得する機能を有する。
呼制御実行部（Ａ１２）は、システム情報の問合わせ及び取得部（Ａ１４）で取得した情報及び後述の操作器からの入力を基に、当該端末（Ａ）が端末情報登録要求を行う機能と発信要求の送受信を実行する機能を有する。
操作器（Ａ１７）は、少なくとも一つの制御キーを有し、制御信号を発生する機能を有する。
表示部（Ａ１８）は、ＣＲＴ及びＬＣＤを備えて、必要な表示を行う機能を有する。
送受話回路（Ａ１９）は、送受話器を備え、この端末（Ａ）からの送話信号を送出し、受話信号を受話する機能を有する。
デバイス制御及び入力部（Ａ１３）は、操作器（Ａ１７）及び表示部（Ａ１８）からの制御入力と送受話回路（Ａ１９）からの送話音声信号入力を受け入れ、表示部（Ａ１８）への必要な制御出力と送受話回路（Ａ１９）への受話音声信号出力を送出する機能を有する。
端末制御部（Ａ１５）は、システム情報の問合わせ及び取得部（Ａ１４）とデバイス制御及び入力部（Ａ１３）との相互間の情報の伝送、及び、呼制御実行部（Ａ１２）とデバイス制御及び入力部（Ａ１３）との相互間での信号の伝送を制御する機能を有する。
音声制御部（Ａ１６）は、デバイス制御及び入力部（Ａ１３）とＬＡＮインターフェース（Ａ１１）との間で、送話，受話の音声信号の相互伝達を制御する機能を有する。
【００３３】
（情報取得操作）
情報取得操作は、次の手順で行われる。
（１）デバイス制御及び入力部（Ａ１３）は、ユーザが操作器（Ａ１７）上の「システム情報取得要求キー」を制御したときの「システム情報取得要求」を入力経路▲１▼で取得し、これを端末制御部（Ａ１５）へ通知する。
（２）端末制御部（Ａ１５）は、システム情報の問合わせ及び取得部（Ａ１４）へその選択された情報「システム情報取得要求」を通知する。
（３）システム情報の問合わせ及び取得部（Ａ１４）は、ＬＡＮインターフェース（Ａ１１）を介して、この情報「システム情報取得要求」をリソース管理サーバ（Ｂ）へ伝送し問合わせをする。
（４）リソース管理サーバ（Ｂ）は、内蔵保持している情報データからその「システム情報取得要求」に対応する情報データを取り出して、ＬＡＮインターフェース（Ａ１１）へ伝送する。
（５）システム情報の問合わせ及び取得部（Ａ１４）は、リソース管理サーバ（Ｂ）からの情報データをＬＡＮインターフェース（Ａ１１）を介して取得し、端末制御部（Ａ１５）へ通知する。
（６）端末制御部（Ａ１５）は、通知された情報データをデバイス制御及び入力部（Ａ１３）に通知する。
（７）デバイス制御及び入力部（Ａ１３）は、取得した情報データを表示部（Ａ１８）に表示する。
【００３４】
（登録要求）
登録操作は、次の手順で行われる。
（１）デバイス制御及び入力部（Ａ１３）は、ユーザが操作器（Ａ１７）上の「登録選択要求キー」を制御したときの「登録選択」を入力経路▲１▼で取得し、端末制御部（Ａ１５）へ通知する。
（２）端末制御部（Ａ１５）は、呼制御実行部（Ａ１２）へ選択された情報（登録要求）を通知する。
（３）呼制御実行部（Ａ１２）は、その情報（登録要求）をＬＡＮインターフェース（Ａ１１）を介してリソース管理サーバ（Ｂ）へ伝送する。
（４）リソース管理サーバ（Ｂ）は、内蔵記録されている登録データを書き換え、その書き換えが成功したことを示す応答をＬＡＮインターフェース（Ａ１１）へ伝送する。
（５）呼制御実行部（Ａ１２）は、リソース管理サーバ（Ｂ）からの応答情報をＬＡＮインターフェース（Ａ１１）を介して取得し、これを端末制御部（Ａ１５）を介して取得した情報（リソース管理サーバ（Ｂ）からの応答情報）を表示部（Ａ１８）に表示する。
【００３５】
（発信操作）
発信操作は、次の手順で行われる。
（１）システム情報の問合わせ及び取得部（Ａ１３）は、ユーザが操作器（Ａ１７）上の「発信選択キー」を制御したときの「発信要求」を入力経路▲１▼で取得し、端末制御部（Ａ１５）へ通知する。
（２）端末制御部（Ａ１５）は、呼制御実行部（Ａ１２）へ選択された情報（発信要求）を通知する。
（３）呼制御実行部（Ａ１２）は、その情報（発信要求）をＬＡＮインターフェース（Ａ１１）を介して他のＩＰ端末（Ｃ）へ伝送する。
（４）他のＩＰ端末（Ｃ）は、その（発信要求）に対する応答情報を送出する。
（５）呼制御実行部（Ａ１２）は、他のＩＰ端末（Ｃ）からの応答情報をＬＡＮインターフェース（Ａ１１）を介して取得し、この応答情報を端末制御部（Ａ１５）を介してデバイス制御及び入力部（Ａ１３）へ通知する。
（６）デバイス制御及び入力部（Ａ１３）は、通知された応答情報を表示部（Ａ１８）へ表示する。
【００３６】
【発明の効果】
以上詳細に説明したように、本発明によれば、発呼者個人を指定することにより、サーバに設定された着呼者個人に対応する端末を呼び出すことが可能となる。本発明はＶｏ（Ｖｏｉｃｅ　Ｏｖｅｒ）ＩＰシステムに適用することができる。
【図面の簡単な説明】
【図１】本発明システムの基本構成を示すブロック図である。
【図２】本発明システムにおけるＩＰ電話端末とリソース管理サーバとの間の通信情報伝送を説明するためのブロック図である。
【図３】本発明システムにおける発呼シーケンスを説明するためのフロー図である。
【図４】本発明システムにおける移動先ＩＰ電話端末情報の登録シーケンスを説明するためのフロー図である。
【図５】本発明システムにおける移動先ＩＰ電話端末情報が登録されている加入者個人宛ての発呼シーケンスを説明するためのフロー図である。
【図６】本発明システムにおける着信拒否設定シーケンスを説明するためのフロー図である。
【図７】本発明システムにおける着信拒否設定されている加入者個人宛ての発呼シーケンスを説明するためのフロー図である。
【図８】本発明システムにおけるＩＰ電話端末からの加入者の所在を登録するシーケンスを説明するためのフロー図である。
【図９】本発明システムにおける、ＩＰ電話端末からの端末情報を参照し、加入者の所在を登録するシーケンスを説明するためのフロー図である。
【図１０】本発明システムにおけるＩＰ電話端末の発信動作の流れを示すフローチャートである。
【図１１】本発明システムにおける、リソース管理サーバにおける移動先ＩＰ電話端末情報登録及び着信拒否設定動作の流れを示すフローチャートである。
【図１２】本発明システムにおける、リソース管理サーバの移動先ＩＰ電話端末情報削除および着信拒否設定解除動作の流れを示すフローチャートである。
【図１３】本発明システムにおける、リソース管理サーバの宛先解決動作の流れを示すフローチャートである。
【図１４】本発明システムにおける、リソース管理サーバのタイムアウトによる移動先ＩＰ電話端末情報削除および着信拒否設定解除動作の流れを示すフローチャートである。
【図１５】本発明に用いるＩＰ電話端末の他の具体例を示すブロック図である。
【符号の説明】
Ａ　ＩＰ電話端末
Ｂ　リソース管理サーバ
Ａ１　ＬＡＮインタフェース
Ａ２　呼制御実行部
Ａ３　宛先解決部
Ａ４　デバイス制御および入力部
Ｂ１　ＬＡＮインタフェース
Ｂ２　加入者および端末情報管理部
Ｂ３　加入者および端末情報データベース
Ａ１１　ＬＡＮインターフェース
Ａ１２　呼制御実行部
Ａ１３　デバイス制御及び入力部
Ａ１４　システム情報の問合わせ及び取得部
Ａ１５　端末制御部
Ａ１６　音声制御部
Ａ１７　操作部
Ａ１８　表示部
Ａ１９　送受話回路
【図１】
2004032265.tif 000003
【図２】
2004032265.tif 000004
【図３】
2004032265.tif 000005
【図４】
2004032265.tif 000006
【図５】
2004032265.tif 000007
【図６】
2004032265.tif 000008
【図７】
2004032265.tif 000009
【図８】
2004032265.tif 000010
【図９】
2004032265.tif 000011
【図１０】
2004032265.tif 000012
【図１１】
2004032265.tif 000013
【図１２】
2004032265.tif 000014
【図１３】
2004032265.tif 000015
【図１４】
2004032265.tif 000016
【図１５】
2004032265.tif 000017